(57)【要約】  医用画像を表示する表示手段を備えた医用情報処理装置において、検査オーダ情報と医用画像の付帯情報が一致しない場合に、ユーザが即座に認識できるようにする。  本発明に係る医用情報処理装置としての検像装置３によれば、画像生成装置としてのモダリティ２から医用画像の画像データが受信されると、受信された画像データの付帯情報及び情報管理装置としてのＲＩＳ１から受信された対応する検査オーダ情報から比較対象項目設定ファイル３６１に設定された項目の情報が抽出され、抽出された付帯情報及び検査オーダ情報が同一項目毎に比較され、不一致の項目があった場合は、検像リスト画面３３１に不整合通知アイコン３３１ａが表示されるとともに、付帯情報のリスト上の不一致の項目を含む付帯情報が他の付帯情報とは異なる色で識別可能に表示される。
2007116899.tif 000002
【特許請求の範囲】
【請求項１】
検査オーダ情報を生成する情報管理装置と、前記検査オーダ情報に基づいて医用画像を生成するとともに、前記生成された医用画像に対し、前記検査オーダ情報に基づいて当該医用画像に関する患者情報及び検査情報を含む付帯情報を付帯させる画像生成装置とにデータ送受信可能に接続され、前記画像生成装置から受信した医用画像を表示する表示手段を備えた医用情報処理装置であって、
前記画像生成装置から受信した前記表示手段に表示すべき医用画像の付帯情報をリスト表示するリスト表示手段と、
前記情報管理装置から受信した検査オーダ情報と、前記画像生成装置において当該検査オーダ情報に基づいて生成された医用画像の付帯情報とを同一項目毎に比較し、不一致の項目があるか否かを判断する比較手段と、を備え、
前記リスト表示手段は、前記比較手段による比較の結果、不一致の項目があると判断された付帯情報がある場合に、前記リストを表示するに際し、前記不一致の付帯情報があることを識別可能に表示することを特徴とする医用情報処理装置。
【請求項２】
前記リスト表示手段は、前記リストを表示するに際し、前記比較手段により不一致の項目があると判断された付帯情報を識別可能に表示することを特徴とする請求の範囲第１項に記載の医用情報処理装置。
【請求項３】
前記比較手段による比較の対象となる項目を設定する設定手段を備え、
前記比較手段は、前記検査オーダ情報と前記付帯情報に含まれる項目のうち前記設定された項目について比較を行うことを特徴とする請求の範囲第１項に記載の医用情報処理装置。
【請求項４】
前記比較手段による比較の結果、不一致の項目があると判断された場合に、当該不一致の項目を表示する不一致項目表示手段を備えたことを特徴とする請求の範囲第１項に記載の医用情報処理装置。
【請求項５】
前記比較手段による比較の結果、不一致の項目があると判断された場合に、前記付帯情報における不一致の項目の情報を前記検査オーダ情報の対応する情報に修正する不一致項目修正手段を備えたことを特徴とする請求の範囲第１項に記載の医用情報処理装置。
【請求項６】
前記比較手段による比較の結果、不一致の情報があると判断された場合に、前記付帯情報の前記比較の対象として設定されている項目の情報を一括して前記検査オーダ情報の対応する情報に修正する一括修正手段を備えたことを特徴とする請求の範囲第１項に記載の医用情報処理装置。
【請求項７】
前記付帯情報に対応する前記検査オーダ情報を前記情報管理装置から取得する取得手段を更に備えたことを特徴とする請求の範囲第１項に記載の医用情報処理装置。
【発明の詳細な説明】
【技術分野】
【０００１】
本発明は、医用情報処理装置に関し、特に、検査オーダ情報に基づき画像生成装置において生成された医用画像及びその付帯情報を表示手段に表示して、医用画像及びその付帯情報の確認及び修正を行うための医用情報処理装置（以下、検像装置と称する）に関する。
【背景技術】
【０００２】
医療の分野では、患者を撮影した医用画像のデジタル化が実現されており、ＣＲ（Computed Radiography）装置やＣＴ（Computed Tomography）装置、ＭＲＩ（Magnetic Resonance Imaging）装置等の各種画像生成装置（モダリティ）により撮影され、デジタル化された医用画像の画像データを、検査対象の患者の患者情報や検査情報（検査に用いたモダリティ情報、撮影部位情報、撮影方向情報、撮影日付等）等の付帯情報とともにＰＡＣＳ（Picture Archiving and Communication System for medical application）に保存したり、医師による診断のために画像表示装置に表示したりする医用画像システムが利用されている。【０００３】
モダリティにおいては、ＲＩＳ（Radiological Information System）やＨＩＳ（Hospital Information System）で登録された検査オーダ情報に従って撮影が行われ、撮影により得られた医用画像の画像データに、検査オーダ情報に基づいて患者情報や検査情報を付帯情報として付帯させ、ＰＡＣＳや画像表示装置に送信している。【０００４】
しかしながら、モダリティによっては、ＲＩＳやＨＩＳとのデータの連携が図れず、モダリティにおいてオペレータが新たに患者情報や検査情報を入力し、入力された情報を医用画像に付帯させる場合があり、このような場合、オペレータの入力ミスにより検査オーダ情報の内容と医用画像の付帯情報の内容が一致しなくなることがありうる。また、ＲＩＳやＨＩＳとのデータの連携が可能なモダリティであっても、モダリティとＲＩＳやＨＩＳとのメーカが異なる場合には、モダリティ側で受け取った検査オーダ情報をそのモダリティ側の仕様にあわせて変換することとなり、この変換の際に、誤った情報となってしまうこともありうる。このように検査オーダ情報と医用画像の付帯情報の内容の不一致が生じると、撮影された医用画像を特定することができなくなる等の弊害が生じる。【０００５】
そこで、例えば、特許文献１には、統括サーバにより、検査オーダ情報と、医用画像の患者ＩＤ、検査日、検査種別等の画像属性情報とを比較し、両者の整合状態を示す整合状態識別情報を画像属性情報に付与して画像属性情報格納手段に格納し、メンテナンス端末において、使用者により患者ＩＤ、検査日付等の任意に選択された検索キーが入力されると、入力された検索キーに基づいて画像属性情報格納手段に格納された画像属性情報を検索して一覧表示し、一覧表示から使用者により選択された画像属性情報の情報の整合状態を表示し、変更を受け付ける技術が記載されている。【０００６】
また、特許文献２には、入力された付帯情報と、医用画像管理システムにおいて記憶されている基本情報とに不整合が生じている場合に、不整合を生じている付帯情報を不整合フォルダに格納し、修正画面を表示する際に、不整合を生じている付帯情報の一覧画面を表示し、入力された患者ＩＤ、検査ＩＤに応じた患者情報、検査情報をＲＩＳから取得して修正候補情報として表示し、更に、基本情報ＤＢからも同様に入力された患者ＩＤ、検査ＩＤに応じた基本情報を取得して修正候補情報として表示し、付帯情報、ＲＩＳ情報、基本情報のうち管理者により選択された何れかの情報に基づいて不一致の項目情報の修正を行う技術が記載されている。    
【特許文献１】特開２００４−２７２４０２号公報
【特許文献２】特開２００５−１４９１１１号公報
【発明の開示】
【発明が解決しようとする課題】
【０００７】
特許文献１、２に記載の技術は、モダリティにより生成された医用画像を表示し確認するための装置ではなく、メンテナンス専用の端末やサーバにおいて、管理者等のユーザが不整合の確認や修正をマニュアル操作で行うものであり、ユーザが不整合の情報があるか否かを知るためには、患者ＩＤや検査ＩＤ等を入力して検索を行ったり、修正画面を表示する操作を行ったりする必要がある。しかしながら、モダリティから受信された医用画像を診断や確認のために表示することを主とした装置において、患者ＩＤや検査ＩＤを入力したり、修正画面を表示したりしなければ付帯情報と検査オーダ情報との不整合があるか否かを確認できないのでは、操作が煩雑であり、また、誤った情報がそのままになってしまう可能性がある。【０００８】
本発明の課題は、医用画像を表示する表示手段を備えた医用情報処理装置において、検査オーダ情報と医用画像の付帯情報が一致しない場合に、ユーザが即座に認識できるようにすることである。
【課題を解決するための手段】
【０００９】
本発明は、第１の側面によると、
検査オーダ情報を生成する情報管理装置と、前記検査オーダ情報に基づいて医用画像を生成するとともに、前記生成された医用画像に対し、前記検査オーダ情報に基づいて当該医用画像に関する患者情報及び検査情報を含む付帯情報を付帯させる画像生成装置とにデータ送受信可能に接続され、前記画像生成装置から受信した医用画像を表示する表示手段を備えた医用情報処理装置であって、
前記画像生成装置から受信した前記表示手段に表示すべき医用画像の付帯情報をリスト表示するリスト表示手段と、
前記情報管理装置から受信した検査オーダ情報と、前記画像生成装置において当該検査オーダ情報に基づいて生成された医用画像の付帯情報とを同一項目毎に比較し、不一致の項目があるか否かを判断する比較手段と、を備え、
前記リスト表示手段は、前記比較手段による比較の結果、不一致の項目があると判断された付帯情報がある場合に、前記リストを表示するに際し、前記不一致の付帯情報があることを識別可能に表示する。【００１０】
前記リスト表示手段は、前記リストを表示するに際し、前記比較手段により不一致の項目があると判断された付帯情報を識別可能に表示することが好ましい。【００１１】
前記比較手段による比較の対象となる項目を設定する設定手段を備え、
前記比較手段は、前記検査オーダ情報と前記付帯情報に含まれる項目のうち前記設定された項目について比較を行うことが好ましい。【００１２】
前記比較手段による比較の結果、不一致の項目があると判断された場合に、当該不一致の項目を表示する不一致項目表示手段を備えることが好ましい。【００１３】
前記比較手段による比較の結果、不一致の項目があると判断された場合に、前記付帯情報における不一致の項目の情報を前記検査オーダ情報の対応する情報に修正する不一致項目修正手段を備えることが好ましい。【００１４】
前記比較手段による比較の結果、不一致の情報があると判断された場合に、前記付帯情報の前記比較の対象として設定されている項目の情報を一括して前記検査オーダ情報の対応する情報に修正する一括修正手段を備えることが好ましい。【００１５】
前記付帯情報に対応する前記検査オーダ情報を前記情報管理装置から取得する取得手段を更に備えることが好ましい。  
【発明の効果】
【００１６】
本発明の第１の側面によれば、画像生成装置から受信された医用画像を表示することを主とした医用情報処理装置において、ユーザは、表示すべき医用画像の付帯情報のリストを確認する際に、検査オーダ情報と不一致の項目を含む付帯情報があるか否かを認識することができるので、不一致の付帯情報があるか否かを確認したり修正したりするために患者ＩＤや検査ＩＤを入力したり修正画面を表示したりすることなしに即座に検査オーダ情報と不一致の付帯情報があることを認識することが可能となる。【００１７】
また、リスト表示手段により医用画像の付帯情報をリスト表示するに際し、比較手段により不一致の項目があると判断された付帯情報を識別可能に表示する構成とすることで、表示すべき医用画像の付帯情報のリスト上で何れの付帯情報が検査オーダ情報と不一致であるのかをユーザが即座に認識することが可能となる。【００１８】
また、比較手段による比較の対象となる項目を設定する設定手段を備え、比較手段において、前記検査オーダ情報と前記付帯情報に含まれる項目のうち設定手段により設定された項目について比較を行う構成とすることで、付帯情報に含まれる項目のうち、ユーザが所望する項目のみを検査オーダ情報の対応する項目と比較することが可能となる。【００１９】
また、検査オーダ情報と不一致の付帯情報について、何れの項目が不一致であるかを識別可能に表示する構成とすることで、ユーザは、直ちに不一致の項目を特定することが可能となる。【００２０】
また、比較手段による比較の結果、不一致の項目があると判断された場合に、付帯情報における不一致の項目の情報を検査オーダ情報の対応する情報に修正する不一致項目修正手段を備える構成とすることで、検査オーダ情報と不一致の項目を、検査オーダ情報により容易に修正することが可能となる。【００２１】
また、比較手段による比較の結果、不一致の情報があると判断された場合に、付帯情報の比較の対象として設定されている項目の情報を一括して検査オーダ情報の対応する情報に修正する一括修正手段を備える構成とすることで、検査オーダ情報と不一致の項目が複数存在する場合に、一括して容易に修正を行うことが可能となる。【００２２】
また、付帯情報に対応する検査オーダ情報を情報管理装置から取得する取得手段を更に備える構成とすることで、検査オーダ情報が受信されていない場合等に、検査オーダ情報を受信して、付帯情報の確認、修正を行うことが可能となる。
【図面の簡単な説明】
【００２３】
【図１】本発明の実施の形態における医用画像システムの全体構成例を示す図である。
【図２】図１に示す検像装置の機能的構成を示すブロック図である。
【図３】図２に示す比較対象項目設定ファイルのデータ格納例を示す図である。
【図４】図２に示す付帯情報ＤＢのレコード構造を示す図である。
【図５Ａ】図１に示す医用画像システムを構成する各装置間におけるデータの処理及び流れを示すフロー図である。
【図５Ｂ】図１に示す医用画像システムを構成する各装置間におけるデータの処理及び流れを示すフロー図である。
【図６】図２に示すＣＰＵにより実行される検査オーダ情報／付帯情報マッチング処理を示すフローチャートである。
【図７Ａ】図２に示すＣＰＵにより実行される不整合修正処理を示すフローチャートである。
【図７Ｂ】図２に示すＣＰＵにより実行される不整合修正処理を示すフローチャートである。
【図８】図２に示す表示部に表示される検像リスト画面の一例を示す図である。
【図９】図２に示す表示部に表示される不整合修正画面の一例を示す図である。
【発明を実施するための最良の形態】
【００２４】
以下、図１から図９を参照しながら本発明に係る医用画像システムの実施形態について説明する。ただし、本発明は図示例のものに限定されるものではない。【００２５】
まず、本実施の形態の構成を説明する。
図１に、医用画像システム１００のシステム構成を示す。
図１に示すように、医用画像システム１００は、ＲＩＳ１、モダリティ２（２ａ〜２ｃ）、検像装置３、ＰＡＣＳ４、画像表示装置５がＬＡＮ（Local Area Network）、ＷＡＮ（Wide Area Network）等の通信ネットワークＮを介して相互にデータの送受信が可能に接続されて構成されている。【００２６】
以下、医用画像システム１００を構成する各装置について説明する。
ＲＩＳ１は、放射線科内の情報を管理する情報管理装置であり、オペレータによる検査オーダ情報（例えば、検査対象の患者を識別するための患者ＩＤ、氏名、性別等の項目を有する患者情報や、医用画像の検査（撮影）に用いるモダリティ情報、撮影方法（手技）、撮影部位情報、撮影方向情報等の項目を有する検査情報、受付番号等）の登録を受け付けて検査オーダ情報を生成し、当該生成された検査オーダ情報に、その検査オーダ情報の識別情報である検査ＩＤを付して管理するものである。検査オーダ情報は、一の患者情報と、一又は関連する複数の検査に関する検査情報が含まれる。例えば、ある患者に対して行う検査がＣＲ装置２ｂによる胸部臥位正面の撮影による検査のみである場合、検査オーダ情報に含まれる検査情報は１つとなる。ある患者に対して行う検査がＣＲ装置２ｂによる胸部臥位正面の撮影と、ＣＴ装置２ａによる胸部臥位の撮影である場合は、検査オーダ情報に含まれる検査情報は２つとなる。ＲＩＳ１は、生成された検査オーダ情報を、当該検査オーダ情報のモダリティ情報により指定されたモダリティ２、及び検像装置３に送信する。【００２７】
なお、本実施形態では、ＲＩＳ１により生成された検査オーダ情報をモダリティ２、検像装置３に送信することとするが、検査オーダ情報の発行受付を行う受付端末により検査オーダ情報を生成し、モダリティ２に送信するようにしてもよい。【００２８】
モダリティ２は、患者を撮影し医用画像の画像データを生成する画像生成装置である。本実施の形態においては、医用画像システム１００は、モダリティ２としてＣＴ装置２ａ、ＣＲ装置２ｂ、ＭＲＩ装置２ｃを備える構成とするが、内視鏡装置、超音波診断装置等、様々な種類の医用画像を撮影するモダリティが適用可能である。【００２９】
モダリティ２は、ＲＩＳ１で生成された検査オーダ情報に従って、患者を撮影しその医用画像の画像データを生成する。そして、生成された医用画像の画像データに、ＲＩＳ１から受信された当該医用画像に対応する検査オーダ情報の検査ＩＤと、その検査オーダ情報のうち、その医用画像を特定するための、患者情報、検査情報、受付番号を含む情報を付帯情報として付帯させて検像装置３に送信する。【００３０】
モダリティ２から検像装置３へ送信される画像データ及びその付帯情報は、例えば、画像部及びヘッダ部を有するＤＩＣＯＭファイルで送信される。画像部には画像データが、ヘッダ部に画像データに関する付帯情報（検査ＩＤ、患者情報、検査情報、受付番号等）が書き込まれている。【００３１】
検像装置３は、ＲＩＳ１から送信された検査オーダ情報を受信するとともに、モダリティ２で生成された医用画像の画像データを受信し、受信された医用画像及び付帯情報を表示部３３に表示して、入力部３２を介してユーザである検像者が医用画像及びその付帯情報の確認及び修正を行うための医用情報処理装置である。【００３２】
図２に、検像装置３の内部構成を示す。
図２に示すように、検像装置３は、ＣＰＵ３１、入力部３２、表示部３３、通信部３４、ＲＡＭ３５、記憶部３６等を備えて構成されており、各部はバス３７により接続されている。【００３３】
ＣＰＵ３１は、記憶部３６に記憶されているシステムプログラムや処理プログラム等の各種プログラムを読み出してＲＡＭ３５に展開し、展開されたプログラムに従って、図５Ａ〜図５Ｂに示す検像装置３側処理、図６に示す検査オーダ情報／付帯情報マッチング処理、図７Ａ〜図７Ｂに示す不整合修正処理を始めとする各種処理を実行する。【００３４】
入力部３２は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ３１に出力する。【００３５】
表示部３３は、例えば、ＣＲＴ（Cathode Ray Tube）やＬＣＤ（Liquid Crystal Display）等のモニタを備えて構成されており、ＣＰＵ３１から入力される表示信号の指示に従って、各種画面を表示する。【００３６】
通信部３４は、ネットワークインターフェース等により構成され、通信ネットワークＮに接続された外部機器との間でデータの送受信を行う。【００３７】
ＲＡＭ３５は、ＣＰＵ３１により実行制御される各種処理において、記憶部３６から読み出されたＣＰＵ３１で実行可能な各種プログラム、入力若しくは出力データ、及びパラメータ等の一時的に記憶するワークエリアを形成する。【００３８】
記憶部３６は、ＨＤＤ（Hard Disc）や半導体の不揮発性メモリ等により構成される。記憶部３６には、ＣＰＵ３１で実行されるシステムプログラムや、検査オーダ情報／付帯情報マッチング処理プログラム、不整合修正処理プログラムを始めとする各種プログラムが記憶されている。【００３９】
また、記憶部３６は、比較対象項目設定ファイル３６１を記憶している。比較対象項目設定ファイル３６１は、図６に示す検査オーダ情報／付帯情報マッチング処理において画像データの付帯情報と検査オーダ情報との比較を行う際に対象となる項目を記憶するファイルである。図３に、比較対象項目設定ファイル３６１のデータ格納例を示す。【００４０】
なお、検査オーダ情報／付帯情報マッチング処理における比較対象項目は、設定手段としての入力部３２及び比較対象項目設定画面（図示せず）から検像者が任意に設定することが可能である。即ち、表示部３３に表示された図示しない比較対象項目設定画面上から入力部３２により比較対象項目が設定入力されると、入力された設定内容が比較対象項目設定ファイル３６１に書き込まれ、マッチング処理における比較対象項目として設定される。【００４１】
また、記憶部３６は、ＲＩＳ１から受信された検査オーダ情報を記憶する検査オーダ情報ＤＢ（Data Base）３６２、モダリティ２から受信された画像データを記憶する検像待ち画像ＤＢ３６３、モダリティ２から受信された画像データの付帯情報を記憶する付帯情報ＤＢ３６４を有している。【００４２】
図４に、付帯情報ＤＢ３６４のレコード構造を示す。図４に示すように、付帯情報ＤＢ３６４は、付帯情報に含まれる情報を格納するための項目（例えば、「検査ＩＤ」項目、「患者ＩＤ」項目、・・・）、及び、マッチングの結果、検査オーダ情報と不一致（不整合）が生じたときに、不一致が生じた項目に不整合フラグを設定するための、各項目に対応する不整合フラグ項目（例えば、「検査ＩＤ不整合フラグ」項目、「患者ＩＤ不整合フラグ」項目・・・）等を有している。【００４３】
ＰＡＣＳ４は、画像ＤＢを備え、モダリティ２から送信された医用画像の画像データ及びその付帯情報を画像ＤＢに保存する。また、画像表示装置５からの要求に応じて、画像データを画像ＤＢから読み出して、要求元の画像表示装置５に配信する。【００４４】
画像表示装置５は、医師が検像装置３またはＰＡＣＳ４から配信された医用画像の画像データを表示し、読影診断をすることを目的として設置されるＰＣ（Personal Computer）等の端末装置である。【００４５】
次に、動作について説明する。
図５Ａ〜図５Ｂは、医用画像システム１００を構成する各装置間におけるデータの処理及び流れを示すフロー図である。以下、図５Ａ〜図５Ｂを参照して、医用画像システム１００を構成する各装置間におけるデータの処理及び流れについて説明する。【００４６】
まず、ＲＩＳ１において検査オーダ情報が登録されて生成され（ステップＳ１）、生成された検査オーダ情報が、検査オーダ情報において撮影に用いるモダリティとして指定されているモダリティ２及び検像装置３に送信される（ステップＳ２、ステップＳ３）。【００４７】
モダリティ２においては、ＲＩＳ１からの検査オーダ情報が受信されると、受信された検査オーダ情報に基づいて患者の撮影部位の撮影が行われて医用画像の画像データが生成され（ステップＳ４）、生成された画像データのヘッダ部に、検査オーダ情報に基づいて、検査ＩＤ、患者情報及び当該画像データに関する検査情報、受付番号等が付帯情報として書き込まれ（ステップＳ５）、付帯情報が付帯された画像データが検像装置３に送信される（ステップＳ６）。【００４８】
検像装置３においては、ＲＩＳ１から送信された検査オーダ情報が受信されると、受信された検査オーダ情報が検査オーダ情報ＤＢ３６２に書き込まれる（ステップＳ７）。【００４９】
また、検像装置３において、モダリティ２からの画像データが受信されると、図６に示す検査オーダ情報／付帯情報マッチング処理が行われ、表示部３３に図８に示す検像リスト画面３３１が表示される（ステップＳ８）。検像リスト画面３３１から入力部３２を介して不整合通知アイコン３３１ａが押下されると、図７Ａ〜図７Ｂに示す不整合修正処理が実行される（ステップＳ９）。また、検像リスト画面３３１から入力部３２を介して検像対象となる医用画像が選択されると、表示部３３に、選択された医用画像の表示を含む検像画面（図示せず）が表示され、検像者による検像が行われる（ステップＳ１０）。検像とは、検像者が検像画面を参照し、医用画像の画質やポジショニングの確認を行い、必要に応じて、入力部３２を介して検像画面から画像の濃度、コントラスト調整等を行うことである。【００５０】
検像済みの画像データ（付帯情報を含む）は、ＰＡＣＳ４に送信され（ステップＳ１１）、画像ＤＢに保存される（ステップＳ１２）。或いは、検像済みの画像データは画像表示装置５に送信され（ステップＳ１３）、表示画面上に表示され（ステップＳ１４）、医師による読影診断に供される（ステップＳ１５）。【００５１】
以下、上述の検査オーダ情報／付帯情報マッチング処理及び不整合修正処理について詳述する。
図６は、検査オーダ情報／付帯情報マッチング処理を示すフローチャートである。当該処理は、通信部３４によりモダリティ２から医用画像の画像データが受信された際に実行される処理であり、ＣＰＵ３１と検査オーダ情報／付帯情報マッチング処理プログラムとの協働によるソフトウエア処理により実現される。当該処理の実行により比較手段、リスト表示手段が実現される。以下、図６を参照して検査オーダ情報／付帯情報マッチング処理について説明する。【００５２】
通信部３４によりモダリティ２から送信された医用画像の画像データが受信されると、受信された画像データが検像待ち画像ＤＢ３６３に登録されるとともに（ステップＳ２０１）、受信された画像データの付帯情報が付帯情報ＤＢ３６４に登録される（ステップＳ２０２）。次いで、比較対象項目設定ファイル３６１が参照され、受信された画像データの付帯情報のうち比較対象項目設定ファイル３６１で設定されている比較対象項目の情報が付帯情報ＤＢ３６４から抽出され、ＲＡＭ３５のワークエリアに読み出されるとともに、当該付帯情報と同一の検査ＩＤを有する、当該付帯情報に対応する検査オーダ情報のうち比較対象項目の情報が検査オーダ情報ＤＢ３６２から抽出され、ＲＡＭ３５のワークエリアに比較する情報が対応して読み出される（ステップＳ２０３）。【００５３】
比較対象項目の情報が抽出されると、マッチング処理が行われる。即ち、抽出された付帯情報と検査オーダ情報とが同一項目毎に比較され、両者が一致するか否かが判断され、両者の情報が一致しないと判断された場合は、付帯情報ＤＢ３６４の該当する項目の不整合フラグにＯＮが設定される（ステップＳ２０４）。【００５４】
各比較対象項目毎の比較が終了すると、付帯情報ＤＢ３６４が検索され、不整合フラグＯＮが設定されている項目を含む付帯情報があるか否かが判断され、不整合フラグＯＮが設定されている項目を含む付帯情報があると判断された場合（ステップＳ２０５；ＹＥＳ）、表示部３３に、検査オーダ情報との不一致（不整合）が生じている付帯情報が存在することを示す不整合通知情報を含む検像リスト画面３３１が表示され（ステップＳ２０６）、本処理は終了する。【００５５】
図８に、検像リスト画面３３１の一例を示す。検像リスト画面３３１は、付帯情報ＤＢ３６４に登録されている付帯情報の内容をリスト表示する画面である。即ち、検像のために表示すべき医用画像の付帯情報をリスト表示する画面である。不整合通知情報としては、具体的には、付帯情報ＤＢ３６４において不整合フラグを含むレコードの付帯情報が他のレコードの付帯情報と異なる色で識別可能にリスト表示される。また、検像リスト画面３３１の左下部に、リスト上に検査オーダ情報との不整合が生じている付帯情報が含まれていることを示す不整合通知アイコン３３１ａが点滅表示される。【００５６】
一方、付帯情報ＤＢ３６４に不整合フラグが設定されている情報が存在しないと判断された場合（ステップＳ２０５；ＮＯ）、不整合通知情報を含まない、通常の検像リスト画面３３１が表示部３３に表示され（ステップＳ２０７）、本処理は終了する。【００５７】
上述のように、検像リスト画面３３１においては、リスト上の付帯情報の色及び不整合通知アイコン３３１ａの点滅の有無により、検査オーダ情報との不整合が生じている付帯情報があるか否かが識別可能に表される。【００５８】
検像リスト画面３３１から不整合通知アイコン３３１ａが押下されると、不整合修正処理が実行される。
図７Ａ〜図７Ｂは、不整合修正処理を示すフローチャートである。当該処理は、検像リスト画面３３１の不整合通知アイコン３３１ａが押下された際に、ＣＰＵ３１と不整合修正処理プログラムとの協働によるソフトウエア処理により実現される処理であり、当該処理の実行により不一致項目表示手段、不一致項目修正手段、一括修正手段、取得手段が実現される。以下、図７Ａ〜図７Ｂを参照して不整合修正処理について説明する。【００５９】
不整合通知アイコン３３１ａが押下されると、表示部３３に不整合修正画面３３２が表示される（ステップＳ３０１）。【００６０】
図９に不整合修正画面３３２の一例を示す。図９に示すように、不整合修正画面３３２には、不整合フラグが含まれる付帯情報の、比較対象項目設定ファイル３６１において設定されている各項目の情報が、対応する検査オーダ情報の対応する情報とともに表示される。画面左側には付帯情報が、画面右側には検査オーダ情報が表示される。また、不整合フラグが設定されている項目の情報は、他の項目とは異なる色で識別可能に表示される。図９においては、付帯情報に含まれる「受付番号」と、検査オーダ情報に含まれる「受付番号」との間に不整合が生じていることを示している。各項目の付帯情報と検査オーダ情報の表示の間には、検査オーダ情報から付帯情報への矢印が表示された「部分書き換え」ボタン３３２ａが表示されている。また、画面上部には、「一括書き換え」ボタン３３２ｂが表示されている。更に、画面下部には、「情報検索」ボタン３３２ｃ、「キャンセル」ボタン３３２ｄ、「ＯＫ」ボタン３３２ｅ等が表示されている。「情報検索」ボタン３３２ｃは、表示された付帯情報に対応する検査オーダ情報を取得するためのボタンであり、例えば、図５ＡのステップＳ３において、ＲＩＳ１から送信された検査オーダ情報が通信の故障や混雑等により受信されていない場合に有効である。なお、不整合修正画面３３２に表示されている付帯情報及び検査オーダ情報は、ＲＡＭ３５のワークエリアに比較対象の項目毎に対応付けて一時記憶されている。【００６１】
不整合修正画面３３２から入力部３２を介して「部分書き換え」ボタン３３２ａが押下されると（ステップＳ３０２；ＹＥＳ）、ＲＡＭ３５の、押下された「部分書き換え」ボタン３３２ａに対応する項目の付帯情報が検査オーダ情報の情報に書き換えられる（ステップＳ３０３）。「部分書き換え」ボタン３３２ａが押下されず（ステップＳ３０２；ＮＯ）、「一括書き換え」ボタン３３２ｂが押下されると（ステップＳ３０４；ＹＥＳ）、ＲＡＭ３５に一時記憶されている付帯情報が一括して検査オーダ情報に書き換えられる（ステップＳ３０５）。「一括書き換え」ボタン３３２ｂが押下されず（ステップＳ３０４；ＮＯ）、「情報検索」ボタン３３２ｃが押下されると（ステップＳ３０６；ＹＥＳ）、通信部３４を介して、ＲＩＳ１に当該画面に表示されている付帯情報のデータが送信され、ＲＩＳ１からの当該付帯情報に対応する検査オーダ情報の取得が行われる（ステップＳ３０７）。「情報検索」ボタン３３２ｃが押下されず（ステップＳ３０６；ＮＯ）、「キャンセル」ボタン３３２ｄが押下されると（ステップＳ３０８；ＹＥＳ）、当該画面において書き換えられたＲＡＭ３５の情報が、元に戻される（ステップＳ３０９）。なお、入力部３２を介して、当該画面における付帯情報の表示フィールドに正しい情報を書き込むことにより、ＲＡＭ３５に一時記憶されている付帯情報を書き換えるようにしてもよい。【００６２】
不整合が生じている情報の修正後、「ＯＫ」ボタン３３２ｅが押下されると（ステップＳ３１０；ＹＥＳ）、不整合修正画面３３２で修正された内容で、即ち、ＲＡＭ３５に記憶されている付帯情報で付帯情報ＤＢ３６４の対応する付帯情報の項目の内容が書き換えられるとともに、修正された情報に対応する不整合フラグがＯＦＦに設定される（ステップＳ３１１）。そして、付帯情報ＤＢ３６４から不整合フラグＯＮを含む付帯情報があるか否かが検索され、不整合フラグＯＮを含む付帯情報がある場合には（ステップＳ３１２；ＹＥＳ）、処理はステップＳ３０１に戻り、不整合が生じている付帯情報の不整合修正画面３３２が表示される。不整合フラグＯＮを含む付帯情報がないと判断された場合（ステップＳ３１２；ＮＯ）、表示部３３の表示が検像リスト画面３３１に戻り（ステップＳ３１３）、本処理は終了する。【００６３】
以上説明したように、検像装置３によれば、モダリティ２から医用画像の画像データが受信されると、受信された画像データの付帯情報及びＲＩＳ１から受信された対応する検査オーダ情報から比較対象項目設定ファイル３６１に設定された項目の情報が抽出され、抽出された付帯情報及び検査オーダ情報が同一項目毎に比較され、不一致の項目があった場合は、検像リスト画面３３１に不整合通知アイコン３３１ａが表示されるとともに、付帯情報のリスト上の不一致の項目を含む付帯情報が他の付帯情報とは異なる色で識別可能に表示される。【００６４】
従って、モダリティ２から受信された医用画像を確認のために表示することを主とした検像装置３において、検像者は、検像待ちの医用画像を一覧表示する検像リスト画面３３１から検査オーダ情報と不一致の項目を含む付帯情報があるか否かを認識することができるので、不一致の情報があるか否かを確認したり修正したりするために患者ＩＤや検査ＩＤを入力したり、修正画面を表示したりすることなしに即座に検査オーダ情報と不一致の付帯情報があることを認識することが可能となる。【００６５】
また、検像リスト画面３３１の不整合通知アイコン３３１ａの押下により表示される不整合修正画面３３２では、検査オーダ情報と不一致の付帯情報について、何れの項目が不一致であるかを識別可能に表示するので、検像者は、直ちに不一致の項目を特定し、修正を行うことが可能となる。修正を行う際には、不一致項目に対応する「部分書き換え」ボタン３３２ａを押下するだけで付帯情報の当該項目の情報を検査オーダ情報の対応する項目の情報に書き換えることができるので、修正時の操作性を向上させ、容易に修正を行うことができる。また、「一括書き換え」ボタン３３２ｂを押下することで、不整合修正画面３３２に表示された比較対象項目の情報をすべて検査オーダ情報の対応する項目の情報に書き換えるので、不一致の項目が複数存在する場合に、容易に修正を行うことができる。更に、「情報検索」ボタン３３２ｃを押下することで、ＲＩＳ１から検査オーダ情報を取得することができるので、例えば、通信の不具合等により検査オーダ情報が受信されていない場合等であっても、付帯情報の確認、修正を行うことが可能となる。【００６６】
なお、上記実施の形態における記述内容は、本発明に係る医用画像システム１００の好適な一例であり、これに限定されるものではない。【００６７】
例えば、医用画像システム１００には、ＲＩＳ１〜画像表示装置５を備える構成としたが、プリンタ等を接続し、検像が終了した検像済みの画像データをプリンタに送信し、プリンタから医用画像を出力するようにしてもよい。【００６８】
その他、医用画像システム１００を構成する各装置の細部構成及び細部動作に関しても、本発明の趣旨を逸脱することのない範囲で適宜変更可能である。【００６９】
なお、明細書、請求の範囲、図面及び要約を含む２００６年４月６日に出願された日本特許出願Ｎｏ．２００６−１０５２９５号の全ての開示は、そのまま本出願の一部に組み込まれる。
【産業上の利用可能性】
【００７０】
医療の分野において、画像生成装置において生成された医用画像及びその付帯情報の確認及び修正を行うための医用情報処理装置に適用できる。
【符号の説明】
【００７１】
１００  医用画像システム
１  ＲＩＳ
２  モダリティ
２ａ  ＣＴ装置
２ｂ  ＣＲ装置
２ｃ  ＭＲＩ装置
３  検像装置
４  ＰＡＣＳ
５  画像表示装置
３１  ＣＰＵ
３２  入力部
３３  表示部
３３１  検像リスト画面
３３２  不整合修正画面
３４  通信部
３５  ＲＡＭ
３６  記憶部
３６１  比較対象項目設定ファイル
３６２  検査オーダ情報ＤＢ
３６３  検像待ち画像ＤＢ
３６４  付帯情報ＤＢ
３７  バス
Ｎ  通信ネットワーク
【図１】
2007116899.tif 000003
【図２】
2007116899.tif 000004
【図３】
2007116899.tif 000005
【図４】
2007116899.tif 000006
【図５Ａ】
2007116899.tif 000007
【図５Ｂ】
2007116899.tif 000008
【図６】
2007116899.tif 000009
【図７Ａ】
2007116899.tif 000010
【図７Ｂ】
2007116899.tif 000011
【図８】
2007116899.tif 000012
【図９】
2007116899.tif 000013
【国際調査報告】
2007116899.tif 000014
2007116899.tif 000015
2007116899.tif 000016
2007116899.tif 000017